(57)【特許請求の範囲】
【請求項１】
ベース基板と、前記ベース基板上に形成された映像を表示する映像表示部と、前記映像表示部上に形成された偏光フィルムとを含むフレキシブル表示パネルと、
前記フレキシブル表示パネルが内部に巻かれて保管されるハウジングと、
前記フレキシブル表示パネルから第１方向に離隔され、外力によって、前記フレキシブル表示パネルを前記ハウジングの外部へ露出させる握り部と、
前記フレキシブル表示パネルと前記握り部との間に配置されて、前記フレキシブル表示パネル及び前記握り部を互いに連結し、前記映像を表示しない連結部と、を含み、
前記連結部は、前記ベース基板の側面に接着された連結フィルムを含む表示装置。
【請求項２】
前記ベース基板の厚さ及び前記映像表示部の厚さの合計は、
前記連結フィルムの厚さと同一である請求項１に記載の表示装置。
【請求項３】
前記ベース基板及び前記連結フィルムのうち少なくとも１つは、ポリカーボネート（ＰＣ）、ポリエチレンテレフタレート（ＰＥＴ）、ポリエチレン（ＰＥ）、ポリプロピレン（ＰＰ）、ポリスルホン（ＰＳＦ）、ポリメチルメタクリラート（ＰＭＭＡ）、トリアセチルセルロース（ＴＡＣ）、シクロオレフィンポリマー（ＣＯＰ）及びシクロオレフィンコポリマー（ＣＯＣ）の中で少なくとも１つ以上を含む請求項１に記載の表示装置。
【請求項４】
ベース基板と、前記ベース基板上に形成された映像を表示する映像表示部と、前記映像表示部上に形成された偏光フィルムとを含むフレキシブル表示パネルと、
前記フレキシブル表示パネルが内部に巻かれて保管されるハウジングと、
前記フレキシブル表示パネルから第１方向に離隔され、外力によって、前記フレキシブル表示パネルを前記ハウジングの外部へ露出させる握り部と、
前記フレキシブル表示パネルと前記握り部との間に配置されて、前記フレキシブル表示パネル及び前記握り部を互いに連結し、前記映像を表示しない連結部と、を含み、
前記連結部は、前記偏光フィルムから前記ベース基板の端部を越えて前記第１方向に延長された連結偏光フィルムを含む表示装置。
【請求項５】
前記フレキシブル表示パネルは、
前記偏光フィルム上に形成された上部保護フィルムをさらに含み、
前記連結部は、
前記連結偏光フィルム上に形成され、前記上部保護フィルムから前記第１方向に延長された連結上部保護フィルムをさらに含む請求項４に記載の表示装置。
【請求項６】
前記握り部は、
前記連結部の上部に形成され、前記連結部の少なくとも一部と重畳する上部握り部と、
前記連結部の下部に形成され、前記連結部の少なくとも一部と重畳する下部握り部と、含む請求項１又は４に記載の表示装置。
【請求項７】
前記握り部は、
前記連結部の一側面をカバーし、前記上部握り部及び前記下部握り部を連結する側面握り部をさらに含む請求項６に記載の表示装置。
【請求項８】
前記上部握り部及び前記下部握り部を互いに連結して、前記上部握り部及び前記下部握り部を固定する固定ネジをさらに含む請求項６に記載の表示装置。
【請求項９】
前記連結部の厚さは、前記フレキシブル表示パネルの厚さと異なる請求項４に記載の表示装置。
【請求項１０】
前記連結部の厚さは、前記フレキシブル表示パネルの厚さより薄い請求項４に記載の表示装置。
【請求項１１】
前記連結部に含まれる層の数は、
前記フレキシブル表示パネルに含まれる層の数より少ない請求項４に記載の表示装置。
【請求項１２】
ベース基板を準備し、映像を表示する映像表示部を前記ベース基板上に形成し、前記映像表示部上に偏光フィルムを形成することでフレキシブル表示パネルを準備する段階と、
前記ベース基板の側面に接着され、前記映像を表示しない連結部を準備する段階と、
前記フレキシブル表示パネルとハウジングを連結する段階と、
前記連結部と握り部とを連結する段階と、を含む表示装置の製造方法。
【請求項１３】
ベース基板を準備し、映像を表示する映像表示部を前記ベース基板上に形成し、前記映像表示部上に偏光フィルムを形成することでフレキシブル表示パネルを準備する段階と、
前記フレキシブル表示パネルと連結され、前記映像を表示しない連結部を準備する段階と、
前記フレキシブル表示パネルとハウジングを連結する段階と、
前記連結部と握り部とを連結する段階と、を含み、
前記フレキシブル表示パネルを準備する段階及び前記連結部を準備する段階は、
偏光フィルム及び前記偏光フィルムから前記ベース基板の端部を越えて第１方向に延長された連結偏光フィルムを準備する段階と、
前記映像表示部上に前記偏光フィルムを配置する段階と、をさらに含み、
前記連結部と握り部とを連結する段階は、
前記連結偏光フィルムと前記握り部とを連結する段階を含み、
前記フレキシブル表示パネルは、
前記ベース基板、前記映像表示部、及び前記偏光フィルムを含み、
前記連結部は、
前記連結偏光フィルムを含む表示装置の製造方法。
【請求項１４】
前記フレキシブル表示パネルを準備する段階及び前記連結部を準備する段階は、
上部保護フィルム及び前記上部保護フィルムから前記第１方向に延長された連結上部保護フィルムを準備する段階と、
前記偏光フィルム上に前記上部保護フィルムを配置する段階と、をさらに含み、
前記連結部と握り部とを連結する段階は、
前記連結上部保護フィルムと前記握り部とを連結する段階を含み、
前記フレキシブル表示パネルは、
前記ベース基板、前記映像表示部、前記偏光フィルム、及び前記上部保護フィルムを含み、
前記連結部は、
前記連結偏光フィルム及び前記連結上部保護フィルムを含む請求項１３に記載の表示装置の製造方法。
【請求項１５】
前記連結部の厚さは、前記フレキシブル表示パネルの厚さと異なる請求項１３に記載の表示装置の製造方法。
【請求項１６】
前記連結部の厚さは、前記フレキシブル表示パネルの厚さより薄い請求項１３に記載の表示装置の製造方法。
【請求項１７】
前記連結部に含まれる層の数は、前記フレキシブル表示パネルに含まれる層の数より少ない請求項１３に記載の表示装置の製造方法。
【発明の詳細な説明】
【技術分野】
【０００１】
本発明は表示装置、表示装置の製造方法、及びフレキシブル表示装置に関し、より詳細には表示品質が向上された表示装置、表示装置の製造方法、及びフレキシブル表示装置に関する。
【背景技術】
【０００２】
フレキシブル表示装置は市場の要求に応じて開発が進んでいる。フレキシブル表示装置は特定曲率を有する状態に固定された曲面表示装置（ＣＵＲＶＥＤ  ＤＩＳＰＬＡＹ  ＤＥＶＩＣＥ）、特定曲率半径以上に曲がれるか、或いはフォールディング軸を基準に折り畳めるフォルダブル表示装置（ＦＯＬＤＡＢＬＥ  ＤＩＳＰＬＡＹ  ＤＥＶＩＣＥ）及び特定曲率半径に巻けるローラブル表示装置（ＲＯＬＬＡＢＬＥ  ＤＩＳＰＬＡＹ  ＤＥＶＩＣＥ）を含む。
【０００３】
この中で、ローラブル表示装置は広いディスプレイ面積及び優れた携帯性を有する長所があるので、多い研究が進行されている。
【先行技術文献】
【特許文献】
【０００４】
【特許文献１】米国特許第８４４６５４９号明細書
【特許文献２】韓国特許第１０−０８−８１７０号公報
【特許文献３】米国特許出願公開第２０１０／００３３４３５号明細書
【発明の概要】
【発明が解決しようとする課題】
【０００５】
本発明の目的は表示品質を高くすることができる表示装置を提供することにある。
【０００６】
本発明の他の目的は表示品質を高くすることができる表示装置の製造方法を提供することにある。
【０００７】
本発明の目的は表示品質を高くすることができるフレキシブル表示装置を提供することにある。
【課題を解決するための手段】
【０００８】
本発明の一実施形態による表示装置は、フレキシブル表示パネル、ハウジング、握り部、及び連結部を含む。前記フレキシブル表示パネルは、映像を表示する。前記フレキシブル表示パネルは、前記ハウジングの内部に巻かれて保管される。前記握り部は、外力によって、前記フレキシブル表示パネルを前記ハウジングの外部へ露出される。前記連結部は、前記フレキシブル表示パネルと前記握り部との間に配置されて、前記フレキシブル表示パネルと前記握り部とを互いに連結する。前記連結部は、前記映像を表示しない。
【０００９】
前記フレキシブル表示パネル及び前記握り部は、第１方向に互いに離隔される。前記フレキシブル表示パネルは、ベース基板及び前記ベース基板上に形成され、前記映像を表示する映像表示部を含むことができる。
【００１０】
前記連結部は、少なくとも前記ベース基板及び前記映像表示部の一部と連結された連結フィルムを含むことができる。
【００１１】
前記ベース基板の厚さ及び前記映像表示部の厚さの合計は、前記連結フィルムの厚さと同一である。
【００１２】
前記ベース基板及び前記連結フィルムのうち少なくとも１つは、ポリカーボネート（ＰＣ）、ポリエチレンテレフタレート（ＰＥＴ）、ポリエチレン（ＰＥ）、ポリプロピレン（ＰＰ）、ポリスルホン（ＰＳＦ）、ポリメチルメタクリラート（ＰＭＭＡ）、トリアセチルセルロース（ＴＡＣ）、シクロオレフィンポリマー（ＣＯＰ）及びシクロオレフィンコポリマー（ＣＯＣ）の中で少なくとも１つ以上を含むことができる。
【００１３】
前記連結部は、前記ベース基板で前記第１方向に延長された連結ベース基板を含むことができる。
【００１４】
前記フレキシブル表示パネルは、前記映像表示部上に形成された偏光フィルムをさらに含むことができる。前記連結部は、前記偏光フィルムから前記第１方向に延長た連結偏光フィルム含むことができる。
【００１５】
前記フレキシブル表示パネルは、前記偏光フィルム上に形成された上部保護フィルムをさらに含むことができる。前記連結部は、前記連結偏光フィルム上に形成され，前記上部保護フィルムから前記第１方向に延長された連結上部保護フィルムをさらに含むことができる。
【００１６】
前記フレキシブル表示パネルは、前記ベース基板の下部に形成された下部保護フィルムをさらに含むことができる。前記連結部は、前記下部保護フィルムから前記第１方向に延長された連結下部保護フィルムを含むことができる。
【００１７】
前記握り部は、上部握り部及び下部握り部を含むことができる。前記上部握り部は、前記連結部の上部に形成され、前記連結部の少なくとも一部と重なることができる。前記上部握り部は、前記連結部の上部に形成され、前記連結部の少なくとも一部と重なることができる。
【００１８】
前記握り部は、前記連結部の一側面をカバーし、前記上部握り部及び前記下部握り部と連結する側面握り部をさらに含むことができる。
【００１９】
前記連結部の厚さは、前記フレキシブル表示パネルの厚さと異なってもよい。
【００２０】
前記連結部の厚さは、前記フレキシブル表示パネルの厚さより薄くてもよい。
【００２１】
前記連結部に含まれる層の数は、前記フレキシブル表示パネルに含まれる層の数より少なくてもよい。
【００２２】
本発明の一実施形態による表示装置は、前記上部握り部及び前記下部握り部を互いに連結して、前記上部握り部及び前記下部握り部を固定する固定ネジをさらに含むことができる。
【００２３】
本発明の一実施形態に係る表示装置の製造方法は、映像を表示するフレキシブル表示パネルを準備する段階、前記フレキシブル表示パネルと連結され、前記映像を表示しない連結部を準備する段階、前記フレキシブル表示パネルとハウジングを連結する段階、及び前記連結部と握り部とを連結する段階を含むことができる。
【００２４】
前記フレキシブル表示パネルを準備する段階及び連結部する段階は、ベース基板を準備する段階及び前記ベース基板上に前記映像を表示する映像表示部を配置する段階を含むことができる。
【００２５】
前記フレキシブル表示パネルを準備する段階及び前記連結部を準備する段階は、連結フィルムを準備する段階と、前記ベース基板及び前記映像表示部と前記連結フィルムを付着する段階と、を含むことができる。
【００２６】
前記ベース基板を準備する段階は、ベース基板及び前記ベース基板で第１方向に延長された連結ベース基板を準備する段階を含むことができる。前記連結部と握り部とを連結する段階は、前記連結ベース基板と前記握り部とを連結する段階を含むことができる。前記フレキシブル表示パネルは、前記ベース基板及び前記映像表示部を含み、前記連結部は、前記連結ベース基板を含むことができる。
【００２７】
前記フレキシブル表示パネルを準備する段階及び連結部準備段階は、偏光フィルム及び前記偏光フィルムから第１方向に延長された連結偏光フィルムを準備する段階及び前記映像表示部上に前記偏光フィルムを配置する段階をさらに含むことができる。前記連結部と握り部とを連結する段階は、前記連結偏光フィルムと前記握り部を連結する段階を含むことができる。前記フレキシブル表示パネルは、前記ベース基板、前記映像表示部、及び前記偏光フィルムを含み、前記連結部は、前記連結偏光フィルムを含むことができる。
【００２８】
前記フレキシブル表示パネルを準備する段階及び連結部準備段階は、上部保護フィルム及び前記上部保護フィルムから前記第１方向に延長された連結上部保護フィルムを準備する段階及び前記偏光フィルム上に前記上部保護フィルムを配置する段階をさらに含むことができる。前記連結部と握り部とを連結する段階は、前記連結上部保護フィルムと前記握り部とを連結する段階を含むことができる。前記フレキシブル表示パネルは、前記ベース基板、前記映像表示部、前記偏光フィルム、及び前記上部保護フィルムを含み、前記連結部は、前記連結偏光フィルム及び前記連結上部保護フィルムを含むことができる。
【００２９】
前記フレキシブル表示パネルを準備する段階及び連結部準備段階は、下部保護フィルム及び前記下部保護フィルムから第１方向に延長された連結下部保護フィルムを準備する段階及び前記下部保護フィルム上に前記ベース基板を配置する段階をさらに含むことができる。前記連結部と握り部とを連結する段階は、前記連結下部保護フィルムと前記握り部とを連結する段階を含むことができる。前記フレキシブル表示パネルは、前記下部保護フィルム、前記ベース基板、及び前記映像表示部を含み、前記連結部は、前記連結下部保護フィルムを含むことができる。
【００３０】
前記連結部の厚さは、前記フレキシブル表示パネルの厚さと異なってもよい。
【００３１】
前記連結部の厚さは、前記フレキシブル表示パネルの厚さより薄くてもよい。
【００３２】
前記連結部に含まれる層の数は、前記フレキシブル表示パネルに含まれる層の数より少なくてもよい。
【００３３】
本発明の一実施形態に係る表示装置は、フレキシブル表示パネル、ハウジング、握り部、及び連結部を含む。前記フレキシブル表示パネルは、映像を表示する表示領域及び映像を表示しない非表示領域を含む。前記フレキシブル表示パネルは、前記ハウジングの内部に巻かれて保管される。前記握り部は、外力によって、前記フレキシブル表示パネルを前記ハウジングの外部へ露出される。前記連結部は、前記非表示領域及び前記握り部の間に配置されて、前記フレキシブル表示パネル及び前記握り部を互いに連結する。
【００３４】
前記連結部の厚さは、前記フレキシブル表示パネルの厚さと異なってもよい。
【００３５】
前記連結部の厚さは、前記フレキシブル表示パネルの厚さより薄くてもよい。
【００３６】
前記連結部に含まれる層の数は、前記フレキシブル表示パネルに含まれる層の数より少なくてもよい。
【００３７】
本発明の一実施形態に係る表示装置は、フレキシブル表示パネル及び連結部を含む。前記フレキシブル表示パネルは映像を表示する。前記連結部は、前記映像を表示しない。前記連結部の厚さは、前記フレキシブル表示パネルの厚さより薄い。
【００３８】
前記フレキシブル表示パネルは、ベース基板、映像表示部、及び偏光フィルムを含む。前記映像表示部は、前記ベース基板上に形成され、前記映像を表示する。前記偏光フィルムは、前記映像表示部上に形成することができる。前記連結部は、前記偏光フィルムから延長された連結偏光フィルムを含むことができる。
【００３９】
前記フレキシブル表示パネルは、前記偏光フィルム上に形成された上部保護フィルムさらに含むことができる。前記連結部は、前記連結偏光フィルム上に形成され、前記上部保護フィルムから前記第１方向に延長された連結上部保護フィルムをさらに含むことができる。
【００４０】
前記フレキシブル表示パネルは、下部保護フィルム、ベース基板、及び映像表示部を含むことができる。前記ベース基板は、前記下部保護フィルム上に形成することができる。前記映像表示部は、前記ベース基板上に形成され、前記映像を表示することができる。前記連結部は、前記下部保護フィルムから延長された連結下部保護フィルムを含むことができる。
【発明の効果】
【００４１】
本発明の一実施形態に係る表示装置によれば、表示品質を高くすることができる。
【００４２】
本発明の一実施形態に係る表示装置の製造方法によれば、表示品質を高くすることができるローラブル表示装置を提供することができる。
【００４３】
本発明の一実施形態に係るフレキシブル表示装置によれば、表示品質を高くすることができる。
【図面の簡単な説明】
【００４４】
【図１Ａ】本発明の一実施形態に係るローラブル表示装置を概略的に示した斜視図である。
【図１Ｂ】本発明の一実施形態に係るローラブル表示装置を概略的に示した斜視図である。
【図２】本発明の一実施形態に係るローラブル表示装置に含まれるフレキシブル表示パネル及び連結部を概略的に示した平面図である。
【図３Ａ】図１ＢのＩ−Ｉ’線に沿う概略的な断面図である。
【図３Ｂ】図１ＢのＩ−Ｉ’線に沿う概略的な断面図である。
【図３Ｃ】図１ＢのＩ−Ｉ’線に沿う概略的な断面図である。
【図３Ｄ】図１ＢのＩ−Ｉ’線に沿う概略的な断面図である。
【図３Ｅ】図１ＢのＩ−Ｉ’線に沿う概略的な断面図である。
【図４Ａ】図１のＩＩ−ＩＩ’線に沿う概略的な断面図である。
【図４Ｂ】図１のＩＩ−ＩＩ’線に沿う概略的な断面図である。
【図５】本発明の一実施形態に係るローラブル表示装置の製造方法を概略的に示した順序図である。
【図６Ａ】本発明の一実施形態に係るローラブル表示装置の製造方法の一部を示した断面図である。
【図６Ｂ】本発明の一実施形態に係るローラブル表示装置の製造方法の一部を示した断面図である。
【図７Ａ】本発明の一実施形態に係るローラブル表示装置の製造方法の一部を示した断面図である。
【図７Ｂ】本発明の一実施形態に係るローラブル表示装置の製造方法の一部を示した断面図である。
【図８Ａ】本発明の一実施形態に係るローラブル表示装置の製造方法の一部を示した断面図である。
【図８Ｂ】本発明の一実施形態に係るローラブル表示装置の製造方法の一部を示した断面図である。
【図８Ｃ】本発明の一実施形態に係るローラブル表示装置の製造方法の一部を示した断面図である。
【図８Ｄ】本発明の一実施形態に係るローラブル表示装置の製造方法の一部を示した断面図である。
【図９Ａ】本発明の一実施形態に係るローラブル表示装置の製造方法の一部を示した断面図である。
【図９Ｂ】本発明の一実施形態に係るローラブル表示装置の製造方法の一部を示した断面図である。
【図９Ｃ】本発明の一実施形態に係るローラブル表示装置の製造方法の一部を示した断面図である。
【発明を実施するための形態】
【００４５】
以上の本発明の目的、他の目的、特徴、及び長所は添付された図面に関連された以下の望ましい実施形態を通じて容易に理解することができる。しかし、本発明はここで説明される実施形態に限定されなく、他の形態に具体化されてもよい。むしろ、紹介される実施形態は開示された内容が徹底であり、完全になることできるように、そして当業者に本発明の思想が十分に伝達され得るようにするために提供される。
【００４６】
以下では本発明の一実施形態に係るローラブル表示装置に対して説明する。
【００４７】
図１Ａ及び図１Ｂは本発明の一実施形態に係るローラブル表示装置１０を概略的に示した斜視図である。
【００４８】
図１Ａ及び図１Ｂを参照すれば、本発明の一実施形態に係るローラブル表示装置１０はフレキシブル表示パネル１００、連結部２００、ハウジング３００、及び握り部４００を含む。フレキシブル表示装置２０はフレキシブル表示パネル１００及び連結部２００を含む。表示パネル１００は映像を表示する。図１Ａを参照すれば、フレキシブル表示パネル１００はハウジング３００の内部に巻かれて保管される。図１Ｂを参照すれば、握り部４００が外力によって引かれることで、フレキシブル表示パネル１００はハウジング３００の外部へ露出される。
【００４９】
図２は本発明の一実施形態に係るローラブル表示装置に含まれるフレキシブル表示パネル及び連結部を概略的に示した平面図である。
【００５０】
図１Ａ、図１Ｂ、及び図２を参照すれば、フレキシブル表示パネル１００は表示領域ＤＡ及び非表示領域ＮＤＡを含む。非表示領域ＮＤＡは表示領域ＤＡを囲む。表示領域ＤＡはフレキシブル表示パネル１００の第２方向（ＤＲ２方向）から見たときに、略長方形状を有するが、これに限定することではない。
【００５１】
表示領域ＤＡは映像を表示する。図示しないが、表示領域ＤＡには映像を形成する最小単位である画素が複数個配置されている。画素の各々は少なくとも１つの薄膜トランジスタを含む。
【００５２】
非表示領域ＮＤＡは映像を表示しない。非表示領域ＮＤＡには画素と電気的に連結されて、映像を表示するための信号を提供できる駆動部が配置される。駆動部は映像信号をデータ信号に変換してフレキシブル表示パネル１００に伝送するデータドライバ及び映像信号をゲート信号に変換してフレキシブル表示パネル１００に伝送するゲートドライバを含む。但し、これに限定されず、データドライバ及びゲートドライバの中で少なくとも１つはチップで構成されてテープキャリヤパッケージ又は印刷回路基板に含んでもよい。
【００５３】
連結部２００はフレキシブル表示パネル１００と握り部４００との間に配置されて、フレキシブル表示パネル１００と握り部４００とを互いに連結する。連結部２００は映像を表示しない。連結部２００はフレキシブル表示パネル１００の一端に連結される。連結部２００はフレキシブル表示パネル１００と第１方向（例えば、ＤＲ１方向）に互いに隣接して連結される。
【００５４】
フレキシブル表示パネル１００の第２方向（例えば、ＤＲ２方向）から見たとき、フレキシブル表示パネル１００は略長方形状を有する。但し、これに限定されず、フレキシブル表示パネル１００の第２方向（ＤＲ２方向）から見たとき、フレキシブル表示パネル１００は多様な形状を有してもよい。
【００５５】
フレキシブル表示パネル１００の第２厚さ方向（ＤＲ２方向）から見たとき、フレキシブル表示パネル１００の第１方向（ＤＲ１方向）の幅Ｗ１は連結部２００の第１方向（ＤＲ１方向）の幅Ｗ２より大きい。フレキシブル表示パネル１００の第２方向（ＤＲ２方向）から見たとき、フレキシブル表示パネル１００の第１方向（ＤＲ１方向）の幅Ｗ１が連結部２００第１方向（ＤＲ１方向）の幅Ｗ２より大きければ、映像を表示するフレキシブル表示パネル１００の広さを、連結部２００の広さより広く確保することができる。
【００５６】
フレキシブル表示パネル１００はフレキシブルな素材の基板を含む。フレキシブル表示パネル１００はハウジング３００内に備えられた少なくとも１つのローリング軸に対して、巻き取られる又は引き伸ばされる。フレキシブル表示パネル１００は外力が加えられて、ハウジング３００の外部へ露出される。例えば、ハウジング３００内部に巻かれて保管されたフレキシブル表示パネル１００は外力によって、ハウジング３００の溝ｈ１を通過して外部へ露出される。
【００５７】
ハウジング３００はフレキシブル表示パネル１００を保管する。図１Ａ及び図１Ｂではハウジング３００が略円筒形状を有することを例示的に図示したが、これに限定されず、ハウジング３００は内部にフレキシブル表示パネル１００が巻かれて保管できる形状であれば、多様な形状を有することができる。また、図１Ａ及び図１Ｂではハウジング３００が一体形成された形状を例示的に図示したが、これに限定されず、ハウジング３００は２つ以上のサブハウジングが結合して形成されるものであってもよい。
【００５８】
ハウジング３００はローリング軸を基準にフレキシブル表示パネル１００を巻かれるリール芯（ｒｅｅｌ  ｃｏｒｅ）３１０を含む。ローリング軸は例えば、第１方向（ＤＲ１方向）及び第２方向（ＤＲ２方向）の各々と垂直する第３方向（例えば、ＤＲ３方向）と平行になる。リール芯３１０はローリング軸に沿って長く延長された円筒形状を有する。
【００５９】
ハウジング３００の内部にはフレキシブル表示パネル１００が巻かれて保管される。ハウジング３００の内部には連結部２００が巻かれて保管される。例えば、フレキシブル表示パネル１００はハウジング３００に含まれるリール芯３１０と連結されて、巻き取られる又は引き伸ばされる。図１Ａ及び図１Ｂではフレキシブル表示パネル１００が円筒形状を有するリール芯３１０を囲む構成を例示的に図示したが、これに限定されず、リール芯３１０は締結溝を含み、締結溝にフレキシブル表示パネル１００が締結されてもよい。
【００６０】
図１Ａ及び図１Ｂではリール芯３１０が一体形成された形状を例示的に図示したが、これに限定されず、リール芯３１０は２つ以上のサブリール芯が結合して形成されてもよい。
【００６１】
図３Ａ乃至図３Ｅは図１ＢのＩ−Ｉ’線に沿う概略的な断面図である。
【００６２】
図１Ａ、図１Ｂ、及び図３Ａを参照すれば、フレキシブル表示パネル１００はベース基板１１０及び映像表示部１２０を含む。
【００６３】
ベース基板１１０は透明な絶縁基板である。ベース基板１１０は一般的に使用されるものであれば、特別に限定されないが、例えば、ポリカーボネート（ＰＣ）、ポリエチレンテレフタレート（ＰＥＴ）、ポリエチレン（ＰＥ）、ポリプロピレン（ＰＰ）、ポリスルホン（ＰＳＦ）、ポリメチルメタクリラート（ＰＭＭＡ）、トリアセチルセルロース（ＴＡＣ）、シクロオレフィンポリマー（ＣＯＰ）及びシクロオレフィンコポリマー（ＣＯＣ）の中で少なくとも１つ以上を含む。
【００６４】
フレキシブル表示パネル１００の第２方向（ＤＲ２方向）から見たとき、ベース基板１１０は略長方形状を有する。但し、これに限定されず、フレキシブル表示パネル１００の第２方向（ＤＲ２方向）から見たとき、ベース基板１１０は多様な形状を有してもよい。
【００６５】
映像表示部１２０はベース基板１１０上に形成され、映像を表示する。フレキシブル表示パネル１００の第２方向（ＤＲ２方向）から見たとき、映像表示部１２０は略長方形状を有する。但し、これに限定されず、フレキシブル表示パネル１００の第２方向（ＤＲ２方向）から見たとき、映像表示部１２０は多様な形状を有してもよい。
【００６６】
映像表示部１２０は光を発光するか、或いは入射された光を制御する。映像表示部１２０はローラブル表示装置１０に採用可能である多様な形態の表示素子を含む。例えば、映像表示部１２０は電氣泳動表示素子、エレクトロ・ウェッティング表示素子、及び有機発光表示素子の中で少なくとも１つを含む。以下で映像表示部１２０が有機発光表示素子である構成を一例として説明する。
【００６７】
図示しないが、映像表示部１２０はアノード電極、有機発光層、及びカソード電極を含む。映像表示部１２０はアノード電極から注入された正孔とカソード電極から注入された電子とが有機発光層内で結合してエキシトン（ｅｘｃｉｔｏｎ）を形成する。映像表示部１２０はエキシトンが励起状態から基底状態に遷移するとき発生するエネルギーによって発光する。
【００６８】
本発明の一実施形態に係るローラブル表示装置１０は連結フィルム２０５をさらに含む。連結フィルム２０５は、少なくともベース基板１１０及び映像表示部１２０の一部と連結される。図示しないが、例えば、連結フィルム２０５は、少なくともベース基板１１０及び映像表示部１２０の一部と接着剤によって連結される。図２では連結フィルム２０５がベース基板１１０及び映像表示部１２０の各々と連結されることを例示的に図示したが、これに限定されず、連結フィルム２０５はベース基板１１０のみに連結されてもよく、連結フィルム２０５は映像表示部１２０のみに連結されてもよい。また、連結フィルム２０５はベース基板１１０の側面の全体と連結されてもよく、あるいはベース基板１１０の側面の一部と連結されてもよい。連結フィルム２０５は映像表示部１２０の側面の全体と連結されてもよく、或いは映像表示部１２０の側面の一部と連結されてもよい。
【００６９】
フレキシブル表示パネル１００はベース基板１１０及びベース基板１１０上に形成される映像表示部１２０を含む。連結部２００はベース基板１１０及び映像表示部１２０の中で少なくとも一部と連結される連結フィルム２０５を含む。
【００７０】
連結フィルム２０５の厚さｔ３はベース基板１１０の厚さｔ１及び映像表示部１２０の厚さｔ２の合計と同一である。但し、これに限定されず、連結フィルム２０５の厚さｔ３はベース基板１１０の厚さｔ１及び映像表示部１２０の厚さｔ２の合計と異なってもよい。
【００７１】
ベース基板及び連結フィルムのうち少なくとも１つは、ポリカーボネート（ＰＣ）、ポリエチレンテレフタレート（ＰＥＴ）、ポリエチレン（ＰＥ）、ポリプロピレン（ＰＰ）、ポリスルホン（ＰＳＦ）、ポリメチルメタクリラート（ＰＭＭＡ）、トリアセチルセルロース（ＴＡＣ）、シクロオレフィンポリマー（ＣＯＰ）及びシクロオレフィンコポリマー（ＣＯＣ）の中で少なくとも１つ以上を含む。
【００７２】
図１Ａ、図１Ｂ、及び図３Ｂ乃至図３Ｅを参照すれば、フレキシブル表示パネル１００の厚さと連結部２００の厚さとは互いに異なる。
【００７３】
図１Ａ、図１Ｂ、及び図３Ｂを参照すれば、フレキシブル表示パネル１００はベース基板１１０及び映像表示部１２０を含む。映像表示部１２０はベース基板１１０上に形成され、連結ベース基板２１０上に形成されない。
【００７４】
連結部２００は連結ベース基板２１０を含む。連結部２００はベース基板１１０及び映像表示部１１０を含まない。
【００７５】
連結ベース基板２１０はベース基板１１０と第１方向（ＤＲ１方向）に互いに隣接して連結される。連結ベース基板２１０はベース基板１１０で第１方向（ＤＲ１方向）に延長されて形成される。連結ベース基板２１０はベース基板１１０と一体形成される。例えば、連結ベース基板２１０及びベース基板１１０は同一の工程で１つの基板に形成される。連結ベース基板２１０は握り部４００と連結される。
【００７６】
図１Ａ、図１Ｂ、及び図３Ｃを参照すれば、フレキシブル表示パネル１００は映像表示部１２０上に形成される偏光フィルム１３０をさらに含む。偏光フィルム１３０は外光反射を抑制し、映像の側面視認性を改善する役割を果たす。
【００７７】
フレキシブル表示パネル１００はベース基板１１０、映像表示部１２０及び偏光フィルム１３０を含む。映像表示部１２０はベース基板１１０上に形成される。偏光フィルム１３０は映像表示部１２０上に形成される。
【００７８】
連結部２００は連結偏光フィルム２３０を含む。連結部２００はベース基板１１０及び映像表示部１２０を含まない。
【００７９】
連結偏光フィルム２３０は偏光フィルム１３０と第１方向（ＤＲ１方向）に互いに隣接して連結される。連結偏光フィルム２３０は偏光フィルム１３０で第１方向（ＤＲ１方向）に延長されて形成される。連結偏光フィルム２３０は偏光フィルム１３０と一体形成される。例えば、連結偏光フィルム２３０及び偏光フィルム１３０は同一の工程で１つのフィルムで形成される。連結偏光フィルム２３０は握り部４００と連結される。
【００８０】
図１Ａ、図１Ｂ、及び図３Ｄを参照すれば、フレキシブル表示パネル１００は偏光フィルム１３０上に形成される上部保護フィルム１４０をさらに含む。上部保護フィルム１４０は外部の衝撃から、フレキシブル表示パネル１００を保護することができる。上部保護フィルム１４０は透明し、透過率が高い材料を使用して形成される。
【００８１】
上部保護フィルム１４０は一般的に使用されるものであれば、特別に限定されないが、例えば、ポリカーボネート（ＰＣ）、ポリエチレンテレフタレート（ＰＥＴ）、ポリエチレン（ＰＥ）、ポリプロピレン（ＰＰ）、ポリスルホン（ＰＳＦ）、ポリメチルメタクリラート（ＰＭＭＡ）、トリアセチルセルロース（ＴＡＣ）、シクロオレフィンポリマー（ＣＯＰ）及びシクロオレフィンコポリマー（ＣＯＣ）の中で少なくとも１つ以上を含む。
【００８２】
フレキシブル表示パネル１００は絶縁基板１１０、映像表示部１２０、偏光フィルム１３０、及び保護フィルム１４０を含む。映像表示部１２０はベース基板１１０上に形成される。偏光フィルム１３０は映像表示部１２０上に形成される。上部保護フィルム１４０は偏光フィルム１３０上に形成される。
【００８３】
連結部２００は連結偏光フィルム２３０及び連結上部保護フィルム２４０を含む。連結部２００はベース基板１１０及び映像表示部１２０を含まない。連結上部保護フィルム２４０は連結偏光フィルム２３０上に形成される。
【００８４】
連結上部保護フィルム２４０は上部保護フィルム１４０と第１方向（ＤＲ１方向）に互いに隣接して連結される。連結上部保護フィルム２４０は上部保護フィルム１４０で第１方向（ＤＲ１方向）に延長されて形成される。連結上部保護フィルム２４０は上部保護フィルム１４０と一体形成される。例えば、連結上部保護フィルム２４０及び上部保護フィルム１４０は同一の工程で１つのフィルムで形成される。連結偏光フィルム２３０及び連結上部保護フィルム２４０は握り部４００と連結される。
【００８５】
図１Ａ、図１Ｂ、及び図３Ｅを参照すれば、フレキシブル表示パネル１００はベース基板１１０の下部に形成される下部保護フィルム１５０をさらに含む。下部保護フィルム１５０は外部の衝撃から、フレキシブル表示パネル１００を保護することができる。下部フィルムは透明し、透過率が高い材料を使用して形成される。
【００８６】
下部保護フィルム１５０は一般的に使用されるものであれば、特別に限定されないが、例えば、ポリカーボネート（ＰＣ）、ポリエチレンテレフタレート（ＰＥＴ）、ポリエチレン（ＰＥ）、ポリプロピレン（ＰＰ）、ポリスルホン（ＰＳＦ）、ポリメチルメタクリラート（ＰＭＭＡ）、トリアセチルセルロース（ＴＡＣ）、シクロオレフィンポリマー（ＣＯＰ）及びシクロオレフィンコポリマー（ＣＯＣ）の中で少なくとも１つ以上を含む。
【００８７】
フレキシブル表示パネル１００は下部保護フィルム１５０、ベース基板１１０及び映像表示部１２０を含む。ベース基板１１０は下部保護フィルム１５０上に形成される。映像表示部１２０はベース基板１１０上に形成される。
【００８８】
連結部２００は連結下部保護フィルム２５０を含む。連結部２００はベース基板１１０及び映像表示部１２０を含まない。
【００８９】
連結下部保護フィルム２５０は下部保護フィルム１５０と第１方向（ＤＲ１方向）に互いに隣接して連結される。連結下部保護フィルム２５０は下部保護フィルム１５０から第１方向（ＤＲ１方向）に延長されて形成される。連結下部保護フィルム２５０は下部保護フィルム１５０と一体形成される。例えば、連結下部保護フィルム２５０は下部保護フィルム１５０は同一の工程で１つのフィルムで形成される。連結下部保護フィルム２５０は握り部４００と連結される。
【００９０】
図４Ａ及び図４Ｂは図１のＩＩ−ＩＩ’線に沿う概略的な断面図である。
【００９１】
図１Ａ、図１Ｂ、図４Ａ、及び図４Ｂを参照すれば、握り部４００は外力によって、フレキシブル表示パネル１００をハウジング３００の外部へ露出される。
【００９２】
握り部４００は上部握り部４１０及び下部握り部４２０を含む。上部握り部４１０は連結部２００の上部に形成され、連結部２００の少なくとも一部と重なる。下部握り部４２０は連結部２００の下部に形成され、連結部２００の少なくとも一部と重なる。図４Ａ及び図４Ｂでは連結部２００の一端、上部握り部４１０の一端、下部握り部４２０の一端が一直線上に位置する構成を例示的に図示したが、これに限定されず、連結部２００の一端、上部握り部４１０の一端、下部握り部４２０の一端の中で少なくとも１つは一直線上に位置しなくてもよい。
【００９３】
図４Ａを参照すれば、握り部４００は側面握り部４３０をさらに含む。側面握り部４３０は連結部２００の一側面をカバーし、上部握り部４１０及び下部握り部４２０と連結される。
【００９４】
図４Ｂを参照すれば、本発明の一実施形態に係るローラブル表示装置１０は固定ネジ４４０をさらに含む。固定ネジ４４０は上部握り部４１０及び下部握り部４２０を互いに連結して、上部握り部４１０及び下部握り部４２０を固定する。固定ネジ４４０は上部握り部４１０の上部貫通ホールＨ１及び連結部２００の連結貫通ホールＨ２を貫通し、下部握り部４２０の下部溝Ｈ３と締結され、これによって、上部握り部４１０、連結部２００、及び下部握り部４２０を固定する。但し、これに限定されず、下部握り部４２０が下部貫通ホールＨ３を含み、固定ネジ４４０が上部貫通ホールＨ１、連結貫通ホールＨ２、及び下部貫通ホールＨ３を貫通して上部握り部４１０、連結部２００、及び下部握り部４２０を固定してもよい。
【００９５】
図示しないが、本発明の一実施形態に係るローラブル表示装置１０はタッチスクリーンパネル及びウインドウ部材をさらに含む。例えば、タッチスクリーンパネルは映像表示部１２０上に配置され、ウインドウ部材はタッチスクリーンパネル上に配置されてもよい。タッチスクリーンパネルはタッチイベントが発生した地点を感知する役割を果たし、ウインドウ部材はタッチスクリーンパネルを保護する役割を果たす。
【００９６】
連結部２００を含まず、フレキシブル表示パネル１００のみを含むローラブル表示装置１０の場合、画素領域を含むフレキシブル表示パネル１００が握り部４００と連結される。握り部４００と隣接し、外力を受けて折り曲げが発生する地点に重畳された画素では、折り曲げによるストレスを受けて不良が発生する。折り曲げによるストレスを受けた画素には欠陥が発生する。画素に欠陥が発生すると、映像が鮮明に表示されないので、表示品質が低下される。
【００９７】
フレキシブル表示パネル１００と連結部２００とを含む、本発明の一実施形態に係るローラブル表示装置１０によると、外力が加えられるとき、映像を表示しない連結部２００に折り曲げが発生する。これによって、フレキシブル表示パネル１００に含まれる画素に不良を発生させる折り曲げが発生することを防止することができる。連結部２００を含む、本発明の一実施形態に係るローラブル表示装置１０は、画素に不良を発生させる折り曲げが発生することを防止することができるため、表示品質を向上させることができる。
【００９８】
以下では本発明の一実施形態に係るローラブル表示装置１０の製造方法について説明する。以下では先に説明した本発明の一実施形態に係るローラブル表示装置１０との差異点を主に具体的に説明する。ここで、上記で説明した本発明の一実施形態に係るローラブル表示装置１０と同一部材の説明は省略する。
【００９９】
図５は本発明の一実施形態に係るローラブル表示装置１０の製造方法を概略的に示したフロー図である。
【０１００】
図１Ａ、図１Ｂ、及び図５を参照すれば、本発明の一実施形態に係るローラブル表示装置１０の製造方法は映像を表示するフレキシブル表示パネル１００及びフレキシブル表示パネル１００と連結され、映像を表示しない連結部２００を準備するフレキシブル表示パネル１００及び連結部２００準備段階（Ｓ１００）、フレキシブル表示パネル１００とハウジング３００とを連結する段階（Ｓ２００）、及び連結部２００と握り部４００とを連結する段階（Ｓ３００）を含む。フレキシブル表示パネル１００及び連結部２００を準備する段階（Ｓ１００）、フレキシブル表示パネル１００とハウジング３００とを連結する段階（Ｓ２００）、及び連結部２００と握り部４００とを連結する段階（Ｓ３００）は順次的に行われる。但し、これに限定されず、フレキシブル表示パネル１００とハウジング３００とを連結する段階（Ｓ２００）及び連結部２００と握り部４００とを連結する段階（Ｓ３００）の中で少なくとも１つの段階がフレキシブル表示パネル１００及び連結部２００準備段階（Ｓ１００）より先に行われてもよい。
【０１０１】
フレキシブル表示パネル１００及び連結部２００を準備する段階（Ｓ１００）で、映像を表示するフレキシブル表示パネル１００及びフレキシブル表示パネル１００と連結され、映像を表示しない連結部２００を準備する。連結部２００はフレキシブル表示パネル１００と握り部４００との間に配置されて、フレキシブル表示パネル１００と握り部４００とを互いに連結する。連結部２００はフレキシブル表示パネル１００と第１方向（ＤＲ１方向）に互いに隣接して連結される。
【０１０２】
フレキシブル表示パネル１００及び連結部２００準備段階（Ｓ１００）はベース基板１１０を準備する段階及びベース基板１１０上に映像を表示する映像表示部１２０を配置する段階を含む。
【０１０３】
図６Ａ及び図６Ｂは本発明の一実施形態に係るローラブル表示装置１０の製造方法の一部を順次的に示した断面図である。
【０１０４】
図１Ａ、図１Ｂ、図５、及び図６Ａを参照すれば、フレキシブル表示パネル１００及び連結部２００の準備段階（Ｓ１００）は連結フィルム２０５を準備する段階を含む。フレキシブル表示パネル１００はベース基板１１０及び映像表示部１２０を含む。
【０１０５】
図１Ａ、図１Ｂ、図５、及び図６Ｂを参照すれば、連結フィルム２０５はフレキシブル表示パネル１００に含まれるベース基板１１０及び映像表示部１２０に取り付けられる。図示しないが、例えば、連結フィルム２０５はベース基板１１０及び映像表示部１２０の中で少なくとも一部と接着剤によって連結される。連結フィルム２０５は握り部４００と連結される。連結部２００は連結フィルム２０５を含み、ベース基板１１０及び映像表示部１２０を含まない。
【０１０６】
図７Ａ及び図７Ｂは本発明の一実施形態に係るローラブル表示装置１０の製造方法の一部を順次的に示した断面図である。
【０１０７】
ベース基板１１０を準備する段階はベース基板１１０及びベース基板１１０から第１方向（ＤＲ１方向）に延長されて形成される連結ベース基板２１０を準備する段階を含む。連結部２００と握り部４００とを連結する段階（Ｓ３００）は連結ベース基板２１０と握り部４００とを連結する段階を含む。フレキシブル表示パネル１００はベース基板１１０及び映像表示部１２０を含み、連結部２００は連結ベース基板２１０を含む。
【０１０８】
図１Ａ、図１Ｂ、図５、及び図７Ａを参照すれば、ベース基板１１０及び連結ベース基板２１０を準備する。連結ベース基板２１０はベース基板１１０と第１方向（ＤＲ１方向）に互いに隣接して連結される。連結ベース基板２１０はベース基板１１０から第１方向（ＤＲ１方向）に延長されて形成される。連結ベース基板２１０はベース基板１１０と一体形成される。例えば、連結ベース基板２１０及びベース基板１１０は同一の工程で１つの基板として形成される。
【０１０９】
図１Ａ、図１Ｂ、図５、及び図７Ｂを参照すれば、ベース基板１１０上に映像表示部１２０を配置する。映像表示部１２０はベース基板１１０上に配置され、連結ベース基板２１０上に配置されない。
【０１１０】
フレキシブル表示パネル１００はベース基板１１０及び映像表示部１２０を含む。映像表示部１２０はベース基板１１０上に形成され、連結ベース基板２１０上に形成されない。
【０１１１】
連結部２００は連結ベース基板２１０を含む。連結部２００は映像表示部１１０を含まない。連結ベース基板２１０は握り部４００と連結される。
【０１１２】
図８Ａ、図８Ｂ、図８Ｃ、及び図８Ｄは本発明の一実施形態に係るローラブル表示装置１０の製造方法の一部を順次的に示した断面図である。
【０１１３】
図１Ａ、図１Ｂ、図５、図８Ａ、図８Ｂ、及び図８Ｃを参照すれば、フレキシブル表示パネル１００及び連結部２００の準備段階（Ｓ１００）は偏光フィルム１３０及び偏光フィルム１３０から第１方向（ＤＲ１方向）に延長されて形成される連結偏光フィルム２３０を準備する段階及び映像表示部１２０上に偏光フィルム２３０を配置する段階をさらに含む。
【０１１４】
まず、ベース基板１１０を準備する（図１Ａ、図１Ｂ、図５、及び図８Ａを参照）。次に、ベース基板１１０上に映像表示部１２０を配置する（図１Ａ、図１Ｂ、図５、及び図８Ｂを参照）。そして、映像表示部１２０上に偏光フィルム１３０を配置する（図１Ａ、図１Ｂ、図５、及び図８Ｃを参照）。
【０１１５】
フレキシブル表示パネル１００はベース基板１１０、映像表示部１２０、及び偏光フィルム１３０を含む。映像表示部１２０はベース基板１１０上に形成される。偏光フィルム１３０は映像表示部１２０上に形成される。
【０１１６】
連結部２００は連結偏光フィルム２３０を含む。連結部２００はベース基板１１０及び映像表示部１２０を含まない。連結偏光フィルム２３０は握り部４００と連結される。
【０１１７】
連結偏光フィルム２３０は偏光フィルム１３０と第１方向（ＤＲ１方向）に互いに隣接して連結される。連結偏光フィルム２３０は偏光フィルム１３０から第１方向（ＤＲ１方向）に延長されて形成される。連結偏光フィルム２３０は偏光フィルム１３０と一体形成される。例えば、連結偏光フィルム２３０及び偏光フィルム１３０は同一の工程で１つのフィルムで形成される。連結偏光フィルム２３０は握り部４００と連結される。
【０１１８】
図１Ａ、図１Ｂ、図５、図８Ａ、図８Ｂ、図８Ｃ、及び図８Ｄを参照すれば、フレキシブル表示パネル１００及び連結部２００の準備段階（Ｓ１００）は、上部保護フィルム１４０及び上部保護フィルム１４０から第１方向（ＤＲ１方向）に延長されて形成される連結上部保護フィルム２４０を準備する段階、及び偏光フィルム１３０上に上部保護フィルム１４０を配置する段階をさらに含む。
【０１１９】
まず、ベース基板１１０を準備する（図１Ａ、図１Ｂ、図５、及び図８Ａを参照）。次に、ベース基板１１０上に映像表示部１２０を配置する（図１Ａ、図１Ｂ、図５、及び図８Ｂを参照）。次に、映像表示部１２０上に偏光フィルム１３０を配置する（図１Ａ、図１Ｂ、図５、及び図８Ｃを参照）。そして、偏光フィルム１３０上に上部保護フィルム１４０を配置する（図１Ａ、図１Ｂ、図５、及び図８Ｄを参照）。
【０１２０】
フレキシブル表示パネル１００は絶縁基板１１０、映像表示部１２０、偏光フィルム１３０、及び保護フィルム１４０を含む。映像表示部１２０はベース基板１１０上に形成される。偏光フィルム１３０は映像表示部１２０上に形成される。上部保護フィルム１４０は偏光フィルム１３０上に形成される。
【０１２１】
連結部２００は連結偏光フィルム２３０及び連結上部保護フィルム２４０を含む。連結部２００はベース基板１１０及び映像表示部１２０を含まない。連結上部保護フィルム２４０は連結偏光フィルム２３０上に形成される。連結偏光フィルム２３０及び連結上部保護フィルム２４０は握り部４００と連結される。
【０１２２】
連結上部保護フィルム２４０は上部保護フィルム１４０と第１方向（ＤＲ１方向）に互いに隣接して連結される。連結上部保護フィルム２４０は上部保護フィルム１４０から第１方向（ＤＲ１方向）に延長されて形成される。連結上部保護フィルム２４０は上部保護フィルム１４０と一体形成される。例えば、連結上部保護フィルム２４０及び上部保護フィルム１４０は同一の工程で１つのフィルムで形成される。連結偏光フィルム２３０及び連結上部保護フィルム２４０は握り部４００と連結される。
【０１２３】
図９Ａ、図９Ｂ、及び図９Ｃは本発明の一実施形態に係るローラブル表示装置１０の製造方法の一部を順次的に示した断面図である。
【０１２４】
図１Ａ、図１Ｂ、図５、図９Ａ、図９Ｂ、及び図９Ｃを参照すれば、フレキシブル表示パネル１００及び連結部２００の準備段階（Ｓ１００）は、下部保護フィルム１５０及び下部保護フィルム１５０から第１方向（ＤＲ１方向）に延長されて形成される連結下部保護フィルム２５０を準備する段階、及び下部保護フィルム１５０上にベース基板１１０を配置する段階をさらに含む。
【０１２５】
まず、ベース基板１１０を準備する（図１Ａ、図１Ｂ、図５、及び図９Ａを参照）。次に、ベース基板１１０上に映像表示部１２０を配置する（図１Ａ、図１Ｂ、図５、及び図９Ｂを参照）。そして、下部保護フィルム１５０上に映像表示部１２０が配置されたベース基板１１０を配置する（図１Ａ、図１Ｂ、図５、及び図９Ｃを参照）。但し、これに限定されず、下部保護フィルム１５０上にベース基板１１０を配置し、ベース基板１１０上に映像表示部１２０を配置してもよい。
【０１２６】
フレキシブル表示パネル１００は下部保護フィルム１５０、ベース基板１１０、及び映像表示部１２０を含む。ベース基板１１０は下部保護フィルム１５０上に形成される。映像表示部１２０はベース基板１１０上に形成される。
【０１２７】
連結部２００は連結下部保護フィルム２５０を含む。連結部２００はベース基板１１０及び映像表示部１２０を含まない。連結下部保護フィルム２５０は握り部４００と連結される。
【０１２８】
連結下部保護フィルム２５０は下部保護フィルム１５０と第１方向（ＤＲ１方向）に互いに隣接して連結される。連結下部保護フィルム２５０は下部保護フィルム１５０から第１方向（ＤＲ１方向）に延長されて形成される。連結下部保護フィルム２５０は下部保護フィルム１５０と一体形成される。例えば、連結下部保護フィルム２５０及び下部保護フィルム１５０は同一の工程で１つのフィルムで形成される。連結下部保護フィルム２５０は握り部４００と連結される。
【０１２９】
本発明の一実施形態に係るローラブル表示装置１０の製造方法はフレキシブル表示パネル１００上にタッチスクリーンパネルを配置する段階、タッチスクリーンパネル上にウインドウ部材を配置する段階をさらに含む。タッチスクリーンパネルはタッチイベントが発生した地点を感知する役割を果たし、ウインドウ部材はタッチスクリーンパネルを保護する役割を果たす。
【０１３０】
連結部２００を含まず、フレキシブル表示パネル１００のみを含むローラブル表示装置１０の場合、画素領域を含むフレキシブル表示パネル１００が握り部４００と連結される。握り部４００と隣接し、外力を受けて折り曲げが発生する地点に重畳された画素では、折り曲げによるストレスを受けて不良が発生する。折り曲げによるストレスを受けた画素には欠陥が発生する。画素に欠陥が発生すると、映像が鮮明に表示されないので、表示品質が低下される。
【０１３１】
フレキシブル表示パネル１００と連結部２００とを含む、本発明の一実施形態に係るローラブル表示装置１０の製造方法によって製造されたローラブル表示装置１０によると、外力が加えられるとき、映像を表示しない連結部２００に折り曲げが発生する。これによって、フレキシブル表示パネル１００に含まれる画素に不良を発生させる折り曲げが発生することを防止することができる。連結部２００を含む、本発明の一実施形態に係るローラブル表示装置１０の製造方法によって製造されたローラブル表示装置１０は、画素に不良を発生させる折り曲げが発生することを防止することができるため、表示品質を向上させることができる。
【０１３２】
以上、添付された図面を参照して本発明の実施形態を説明したが、本発明が属する技術分野で通常の知識を有する者は本発明がその技術的思想や必須的な特徴を変形しなく、他の具体的な形態に実施できることを理解できる。したがって、以上で記述した実施形態にはすべての面で例示的なことであり、限定的なことではないことを理解しなければならない。
【符号の説明】
【０１３３】
１０：ローラブル表示装置
１００：フレキシブル表示パネル
１１０：ベース基板
１２０：映像表示部
１３０：偏光フィルム
１４０：上部保護フィルム
１５０：下部保護フィルム
２００：連結部
２０５：連結フィルム
３００：ハウジング
３１０：リール芯
４００：握り部
４１０：上部握り部
４２０：下部握り部
４３０：側面握り部
４４０：固定ネジ
【図１Ａ】
0006664185.tif 000002
【図１Ｂ】
0006664185.tif 000003
【図２】
0006664185.tif 000004
【図３Ａ】
0006664185.tif 000005
【図３Ｂ】
0006664185.tif 000006
【図３Ｃ】
0006664185.tif 000007
【図３Ｄ】
0006664185.tif 000008
【図３Ｅ】
0006664185.tif 000009
【図４Ａ】
0006664185.tif 000010
【図４Ｂ】
0006664185.tif 000011
【図５】
0006664185.tif 000012
【図６Ａ】
0006664185.tif 000013
【図６Ｂ】
0006664185.tif 000014
【図７Ａ】
0006664185.tif 000015
【図７Ｂ】
0006664185.tif 000016
【図８Ａ】
0006664185.tif 000017
【図８Ｂ】
0006664185.tif 000018
【図８Ｃ】
0006664185.tif 000019
【図８Ｄ】
0006664185.tif 000020
【図９Ａ】
0006664185.tif 000021
【図９Ｂ】
0006664185.tif 000022
【図９Ｃ】
0006664185.tif 000023